(57)【要約】【課題】コンテンツ販売者側について、その意図した態様で、購入したコンテンツに関わる情報を購入者の所有する端末装置に表示することが可能な情報管理装置を提供する。【解決手段】情報管理装置２は、コンテンツを販売する店舗に設置される情報処理端末装置１２、およびコンテンツの購入者と関連付けられたコンテンツ出力装置６と通信する。コンテンツ出力装置は、コンテンツの販売者情報に関連付けられた表示領域に、販売者情報に対応してコンテンツ情報を表示する。通信部１１０は、情報処理端末装置から、コンテンツ情報をコンテンツ出力装置が受信するためのコンテンツ関連情報と、販売者情報と、購入者情報とを受信する。記憶部１２０は、通信部が受信したコンテンツ関連情報と販売者情報とを関連付けて記憶し、制御部１００は、コンテンツ関連情報を、購入者情報に基づいてコンテンツ出力装置に送信するように通信部を制御する。【選択図】図１
2013003907.tif 000002
【特許請求の範囲】
【請求項１】
コンテンツを販売する店舗に設置される情報処理端末装置、および前記コンテンツを購入する購入者を特定する購入者情報に関連付けられたコンテンツ出力装置と通信する情報管理装置であって、
前記コンテンツ出力装置は、前記コンテンツを販売する販売者を特定する販売者情報ごとに予め設けられた表示領域に、前記販売者情報に対応して前記コンテンツを特定するコンテンツ情報を表示し、
前記情報処理端末装置と、前記コンテンツ出力装置と通信するための通信部を備え、
前記通信部は、前記情報処理端末装置から、コンテンツサーバが提供する前記コンテンツ情報を前記コンテンツ出力装置が受信するためのコンテンツ関連情報と、前記販売者情報と、前記購入者情報とを受信し、
前記通信部が受信した前記コンテンツ関連情報と前記販売者情報とを関連付けて記憶するための記憶部と、
前記コンテンツ出力装置の前記表示領域に、前記販売者情報に対応する前記コンテンツ情報を表示させるため、前記販売者情報に関連付けられた前記コンテンツ関連情報を、前記購入者情報に基づいて前記コンテンツ出力装置に送信するように前記通信部を制御する制御部とをさらに備える、情報管理装置。
【請求項２】
前記情報処理端末装置から、更新された前記コンテンツ関連情報が送信された場合、前記制御部は、前記通信部が受信した前記更新されたコンテンツ関連情報を前記コンテンツ出力装置に送信するように前記通信部を制御する、請求項１記載の情報管理装置。
【請求項３】
前記コンテンツ関連情報が更新されたか否かを判断する関連情報判断部をさらに備え、
前記通信部が前記コンテンツ関連情報を受信した際に、前記関連情報判断部は前記コンテンツ関連情報が更新されたか否かを判断し、
前記制御部は、前記コンテンツ関連情報が更新された情報であるとの前記関連情報判断部の判断に応じて、前記更新されたコンテンツ関連情報を前記コンテンツ出力装置に送信するように前記通信部を制御する、請求項２記載の情報管理装置。
【請求項４】
前記コンテンツ関連情報が更新されたか否かを判断する関連情報判断部をさらに備え、
前記通信部が前記コンテンツ出力装置から、前記コンテンツ関連情報が更新されたか否かを確認するための更新確認情報を受信した際に、前記関連情報判断部は前記コンテンツ関連情報が更新されたか否かを判断し、
前記制御部は、前記コンテンツ関連情報が更新された情報であるとの前記関連情報判断部の判断に応じて、前記更新されたコンテンツ関連情報を前記コンテンツ出力装置に送信するように前記通信部を制御する、請求項２記載の情報管理装置。
【請求項５】
前記販売者情報が更新されたか否かを判断する販売者情報判断部をさらに備え、
前記制御部は、前記コンテンツ出力装置が、更新された前記販売者情報に対応した前記表示領域を設けるために、前記販売者情報が更新されたとの前記販売者情報判断部の判断に応じて、前記更新された前記販売者情報を前記コンテンツ出力装置に送信するように前記通信部を制御する、請求項１〜４のいずれかに記載の情報管理装置。
【請求項６】
コンテンツを提供するコンテンツサーバと、情報管理装置と通信するコンテンツ出力装置であって、
表示部と、
前記情報管理装置と、前記コンテンツサーバと通信するための通信部とを備え、
前記通信部は、前記情報管理装置から、前記コンテンツを特定するコンテンツ情報を受信するためのコンテンツ関連情報および前記コンテンツを販売する販売者を特定する販売者情報を受信し、前記コンテンツサーバから、前記コンテンツ関連情報に対応する前記コンテンツ情報を受信し、
前記販売者情報ごとに予め設けられた表示領域に、前記販売者情報に対応して前記コンテンツ情報を表示するように前記表示部を制御し、前記コンテンツ情報によって特定されるコンテンツを再生するための出力制御部をさらに備える、コンテンツ出力装置。
【請求項７】
前記通信部が前記コンテンツ関連情報を受信した際に、前記コンテンツサーバから前記コンテンツ関連情報に対応する前記コンテンツ情報によって特定されるコンテンツを受信するように前記通信部を制御する制御部をさらに備える、請求項６に記載のコンテンツ出力装置。
【請求項８】
コンテンツを販売する店舗に設置される情報処理端末装置と、前記コンテンツを購入する購入者を特定する購入者情報に関連付けられたコンテンツ出力装置と、情報管理装置とを備えるコンテンツ配信システムであって、
前記情報処理端末装置は、
前記コンテンツ出力装置と前記情報管理装置と通信するための第１の通信部を備え、
前記第１の通信部は、コンテンツサーバが提供するコンテンツを特定するコンテンツ情報を前記コンテンツ出力装置が受信するためのコンテンツ関連情報と前記コンテンツを販売する販売者を特定する販売者情報とを前記情報管理装置に送信し、
前記コンテンツ出力装置は、
表示部と、
前記情報管理装置と前記コンテンツサーバと通信するための第２の通信部を備え、
前記第２の通信部は、前記情報管理装置から、前記コンテンツ関連情報および前記販売者情報を受信し、前記コンテンツサーバから、前記コンテンツ関連情報に対応する前記コンテンツ情報を受信し、
前記販売者情報ごとに予め設けられた表示領域に、前記販売者情報に対応して前記コンテンツ情報を表示するように前記表示部を制御し、前記コンテンツ情報によって特定されるコンテンツを再生するための出力制御部とをさらに備え、
前記情報管理装置は、
前記情報処理端末装置と前記コンテンツ出力装置と通信するための第３の通信部を備え、
前記第３の通信部は、前記情報処理端末装置から、前記コンテンツ関連情報と前記販売者情報と前記購入者情報とを受信し、
前記第３の通信部が受信した前記コンテンツ関連情報と前記販売者情報とを関連付けて記憶するための記憶部と、
前記販売者情報に関連付けられた前記コンテンツ関連情報を前記購入者情報に基づいて前記コンテンツ出力装置に送信するように前記第３の通信部を制御する制御部とをさらに備える、コンテンツ配信システム。
【請求項９】
コンテンツを販売する店舗に設置される情報処理端末装置、および前記コンテンツを購入する購入者を特定する購入者情報に関連付けられたコンテンツ出力装置と通信する情報管理装置のコンピュータに実行させる制御プログラムであって、
前記コンテンツ出力装置は、前記コンテンツを販売する販売者を特定する販売者情報ごとに予め設けられた表示領域に、前記販売者情報に対応して前記コンテンツを特定するコンテンツ情報を表示し、
前記制御プログラムは、前記コンピュータに、
前記情報処理端末装置と、前記コンテンツ出力装置と通信するステップを実行させ、
前記通信するステップは、前記情報処理端末装置から、コンテンツサーバが提供する前記コンテンツ情報を前記コンテンツ出力装置が受信するためのコンテンツ関連情報と、前記販売者情報と、前記購入者情報とを受信し、前記制御プログラムはさらに、
前記通信するステップが受信した前記コンテンツ関連情報と前記販売者情報とを関連付けて記憶するステップと、
前記コンテンツ出力装置の前記表示領域に、前記販売者情報に対応する前記コンテンツ情報を表示させるため、前記販売者情報に関連付けられた前記コンテンツ関連情報を、前記購入者情報に基づいて前記コンテンツ出力装置に送信するように制御するステップとを実行させる、制御プログラム。
【発明の詳細な説明】
【技術分野】
【０００１】
本発明は、情報管理装置、その制御プログラム、コンテンツ出力装置およびコンテンツ配信システムに関し、特に、店舗で購入した際に取得される情報の管理を行なうための情報管理装置、その制御プログラム、当該情報が送信されるコンテンツ出力装置、およびこれらを用いたコンテンツ配信システムに関する。
【背景技術】
【０００２】
従来、店舗等が提供している各種サービス・情報を入手する方法としては、ユーザが直接店舗に赴く以外に、ユーザがインターネットを介してパソコンや携帯電話機等により、店舗が提供するＷｅｂサイトにアクセスしたり、店舗へのユーザ会員登録により定期的に携帯電話等に電子メールが送信されたりすることが多く行なわれている。
【０００３】
例えば、特許文献１には、書店にて本を購入した際に、当該本の購入者の所有するＩＣ（integrated circuit）カードに対する購入証明を書店端末から取得しておき、電子書籍と関連付けられた本の購入証明を用いて、電子書籍を取得することができる方式が開示されている。
【０００４】
また、例えば、特許文献２には、店舗に設置されている自動ＩＤ（identification）送信装置に、店舗の顧客等の会員が所有する携帯情報端末を接続することで、携帯情報端末から会員ＩＤがターミナルサーバに電子メール送信され、会員ＩＤに対応する店舗が提供する情報をターミナルサーバから携帯情報端末に電子メール送信される方式が開示されている。
【先行技術文献】
【特許文献】
【０００５】
【特許文献１】特開２０００−１１３０４９号公報
【特許文献２】特開２００４−３８７０９号公報
【発明の概要】
【発明が解決しようとする課題】
【０００６】
しかしながら、特開２０００−１１３０４９号公報に提案された技術によると、自己の所有する端末への電子書籍の取得のためには、ユーザが自宅に帰宅後に、改めて、パーソナルコンピュータや電子書籍の閲覧用装置により、コンテンツを取得する操作をしなければならない。また、書店側にとっては、ユーザが当該書店を積極的に訪れることとなるような宣伝効果に乏しく、ユーザにっても購入のための利便性が必ずしもよくないという問題がある。
【０００７】
また、特開２０００−１１３０４９号公報に提案された技術においても、店舗を訪れた顧客にとっては、一旦、メールを受信してから、コンテンツのダウンロード手続きをしなければならないなど、コンテンツ購入のための利便性がよいとはいえない。また、自動ＩＤ送信装置に当該端末を接続しなければ、当該端末には店舗が提供する情報は送信されない。
【０００８】
本発明は、上記の問題点を解決するためになされたものであって、店舗で購入した際に取得される情報を管理して、その目的は、事前にシステムに登録されたコンテンツ販売者側については、その意図した態様で、購入したコンテンツに関わる情報を購入者の所有する端末装置に表示することが可能な情報管理装置、その制御プログラム、当該情報が送信されるコンテンツ出力装置、およびこれらを用いたコンテンツ配信システムを提供することである。
【０００９】
この発明の他の目的は、コンテンツサーバ経由で送信されるコンテンツの販売において、ユーザの利便性を向上させて店舗でのコンテンツ購入を促進することが可能な情報管理装置、その制御プログラム、当該情報が送信されるコンテンツ出力装置、およびこれらを用いたコンテンツ配信システムを提供することである。
【課題を解決するための手段】
【００１０】
本発明のある局面に従うと、情報管理装置であって、コンテンツを販売する店舗に設置される情報処理端末装置、およびコンテンツを購入する購入者を特定する購入者情報に関連付けられたコンテンツ出力装置と通信する。コンテンツ出力装置は、コンテンツを販売する販売者を特定する販売者情報ごとに予め設けられた表示領域に、販売者情報に対応してコンテンツを特定するコンテンツ情報を表示する。情報管理装置は、情報処理端末装置と、コンテンツ出力装置と通信するための通信部を備える。通信部は、情報処理端末装置から、コンテンツサーバが提供するコンテンツ情報をコンテンツ出力装置が受信するためのコンテンツ関連情報と、販売者情報と、購入者情報とを受信する。情報管理装置は、通信部が受信したコンテンツ関連情報と販売者情報とを関連付けて記憶するための記憶部と、コンテンツ出力装置の表示領域に、販売者情報に対応するコンテンツ情報を表示させるため、販売者情報に関連付けられたコンテンツ関連情報を、購入者情報に基づいてコンテンツ出力装置に送信するように通信部を制御する制御部とをさらに備える。
【００１１】
好ましくは、制御部は、情報処理端末装置から、更新されたコンテンツ関連情報が送信された場合、通信部が受信した更新されたコンテンツ関連情報をコンテンツ出力装置に送信するように通信部を制御する。
【００１２】
好ましくは、情報管理装置は、コンテンツ関連情報が更新された情報であるか否かを判断する判断部をさらに備える。制御部は、通信部がコンテンツ関連情報を受信した際に、コンテンツ関連情報が更新された情報であるとの判断部の判断に応じて、更新されたコンテンツ関連情報をコンテンツ出力装置に送信するように通信部を制御する。
【００１３】
好ましくは、情報管理装置は、コンテンツ関連情報が更新された情報であるか否かを判断する判断部をさらに備える。判断部は、通信部がコンテンツ出力装置から、コンテンツ関連情報が更新されたか否かを確認するための更新確認情報を受信した際に、コンテンツ関連情報が更新された情報であるか否かを判断する。制御部は、コンテンツ関連情報が更新された情報であるとの判断部の判断に応じて、更新されたコンテンツ関連情報をコンテンツ出力装置に送信するように通信部を制御する。
【００１４】
好ましくは、情報管理装置は、販売者情報が更新されたか否かを判断する販売者情報判断部をさらに備える。制御部は、コンテンツ出力装置が、更新された販売者情報に対応した表示領域を設けるために、販売者情報が更新されたとの販売者情報判断部の判断に応じて、更新された販売者情報をコンテンツ出力装置に送信するように通信部を制御する。
【００１５】
好ましくは、コンテンツ関連情報は、コンテンツ出力装置がコンテンツ情報によって特定されるコンテンツをコンテンツサーバから受信可能か否かを認証するための受信認証情報を含む。
【００１６】
好ましくは、コンテンツ関連情報は、コンテンツ出力装置がコンテンツサーバが提供するコンテンツ情報によって特定されるコンテンツを受信しているか否かの受信状態を識別するための受信状態識別情報を含む。
【００１７】
本発明の他の局面に従うと、コンテンツ出力装置であって、コンテンツを提供するコンテンツサーバと、情報管理装置と通信する。コンテンツ出力装置は、表示部と、情報管理装置と、コンテンツサーバと通信するための通信部とを備える。通信部は、情報管理装置から、コンテンツを特定するコンテンツ情報を受信するためのコンテンツ関連情報およびコンテンツを販売する販売者を特定する販売者情報を受信し、コンテンツサーバから、コンテンツ関連情報に対応するコンテンツ情報を受信する。情報管理装置は、販売者情報ごとに予め設けられた表示領域に、販売者情報に対応してコンテンツ情報を表示するように表示部を制御し、コンテンツ情報によって特定されるコンテンツを再生するための出力制御部をさらに備える。
【００１８】
好ましくは、コンテンツ出力装置は、通信部がコンテンツ関連情報を受信した際に、コンテンツサーバからコンテンツ関連情報に対応するコンテンツ情報によって特定されるコンテンツを受信するように通信部を制御する制御部をさらに備える。
【００１９】
好ましくは、制御部は、コンテンツ情報によって特定されるコンテンツをコンテンツサーバから受信可能か否かを認証するための受信認証情報をコンテンツサーバが要求している場合、受信認証情報をコンテンツサーバに送信するように通信部を制御する。
【００２０】
本発明のさらに他の局面に従うと、コンテンツ配信システムであって、コンテンツを販売する店舗に設置される情報処理端末装置と、コンテンツを購入する購入者を特定する購入者情報に関連付けられたコンテンツ出力装置と、情報管理装置とを備える。情報処理端末装置は、コンテンツ出力装置と情報管理装置と通信するための第１の通信部を備える。第１の通信部は、コンテンツサーバが提供するコンテンツを特定するコンテンツ情報をコンテンツ出力装置が受信するためのコンテンツ関連情報とコンテンツを販売する販売者を特定する販売者情報とを情報管理装置に送信する。コンテンツ出力装置は、表示部と、情報管理装置とコンテンツサーバと通信するための第２の通信部を備える。第２の通信部は、情報管理装置から、コンテンツ関連情報および販売者情報を受信し、コンテンツサーバから、コンテンツ関連情報に対応するコンテンツ情報を受信する。コンテンツ出力装置は、販売者情報ごとに予め設けられた表示領域に、販売者情報に対応してコンテンツ情報を表示するように表示部を制御し、コンテンツ情報によって特定されるコンテンツを再生するための出力制御部とをさらに備える。情報管理装置は、情報処理端末装置とコンテンツ出力装置と通信するための第３の通信部を備える。第３の通信部は、情報処理端末装置から、コンテンツ関連情報と販売者情報と購入者情報とを受信する。情報管理装置は、第３の通信部が受信したコンテンツ関連情報と販売者情報とを関連付けて記憶するための記憶部と、販売者情報に関連付けられたコンテンツ関連情報を購入者情報に基づいてコンテンツ出力装置に送信するように第３の通信部を制御する制御部とをさらに備える。
【００２１】
本発明のさらに他の局面に従うと、情報管理装置のコンピュータに実行させる制御プログラムであって、コンテンツを販売する店舗に設置される情報処理端末装置、およびコンテンツを購入する購入者を特定する購入者情報に関連付けられたコンテンツ出力装置と通信する。コンテンツ出力装置は、コンテンツを販売する販売者を特定する販売者情報ごとに予め設けられた表示領域に、販売者情報に対応してコンテンツを特定するコンテンツ情報を表示する。制御プログラムは、コンピュータに情報処理端末装置と、コンテンツ出力装置と通信するステップを実行させる。通信するステップは、情報処理端末装置から、コンテンツサーバが提供するコンテンツ情報をコンテンツ出力装置が受信するためのコンテンツ関連情報と、販売者情報と、購入者情報とを受信する。制御プログラムはさらに、通信するステップが受信したコンテンツ関連情報と販売者情報とを関連付けて記憶するステップと、コンテンツ出力装置の表示領域に、販売者情報に対応するコンテンツ情報を表示させるため、販売者情報に関連付けられたコンテンツ関連情報を、購入者情報に基づいてコンテンツ出力装置に送信するように制御するステップとを実行させる。
【発明の効果】
【００２２】
以上のように、本発明によって、事前にシステムに登録されたコンテンツ販売者側については、その意図した態様で、購入したコンテンツに関わる情報を購入者の所有する端末装置に表示することが可能となる。
【００２３】
また、さらに本発明によって、コンテンツサーバ経由で送信されるコンテンツの販売において、ユーザの利便性を向上させて店舗でのコンテンツ購入を促進することが可能となる。
【図面の簡単な説明】
【００２４】
【図１】本発明の情報管理サーバを含むコンテンツ配信システムの全体構成を模式的に示す図である。
【図２】本発明の実施の形態に従う情報管理サーバのハードウェア構成を示すブロック図である。
【図３】本発明の実施の形態に従う情報管理サーバの機能構成を示すブロック図である。
【図４】本発明の実施の形態に従うテレビのハードウェア構成を示すブロック図である。
【図５】テレビの機能構成を示すブロック図である。
【図６】本発明の実施の形態に従うＰＯＳ端末のハードウェア構成を示すブロック図である。
【図７】ＰＯＳ端末の機能構成を示すブロック図である。
【図８】本発明の実施の形態に従うコンテンツ配信システムにおいて、情報管理サーバへのコンテンツ関連情報の登録処理までの処理手順を示すシーケンス図である。
【図９】ユーザ情報ＤＢのＤＢ構成の一例を示した図である。
【図１０】コンテンツ関連情報のＤＢ登録処理を示すフローチャートである。
【図１１】記憶されたコンテンツ関連情報に対するアクセス権を示した図である。
【図１２】本発明の実施の形態に従う情報管理サーバからテレビへのコンテンツ関連情報の送信処理の処理手順を示す第１のシーケンス図である。
【図１３】コンテンツ関連情報のデータベース検索を行ない、情報管理サーバへ送信するまでの処理を示すフローチャートである。
【図１４】本発明の実施の形態に従う情報管理サーバが、テレビからのコンテンツ関連情報の取得要求を受け付けて、テレビにコンテンツ関連情報を送信する処理手順を示す第２のシーケンス図である。
【図１５】本発明の実施の形態に従うテレビが、コンテンツ情報を表示する処理手順を示すシーケンス図である。
【図１６】コンテンツおよびコンテンツ情報の受信方式の処理手順を示すフローチャートである。
【図１７】コンテンツ情報の表示方式の処理手順を示すフローチャートである。
【図１８】テレビのコンテンツを選択するためのメニュー画面の一例である。
【図１９】テレビのコンテンツ出力処理の処理手順を示すフローチャートである。
【発明を実施するための形態】
【００２５】
以下、図面を参照しつつ、本発明の実施の形態について説明する。以下の説明では、同一の部品には同一の符号を付してある。それらの名称および機能も同じである。したがって、それらについての同一部分についての詳細な説明は繰り返さない。
【００２６】
以下では、「コンテンツ」とは、映像、音声、画像、テキスト、およびこれらを出力するためのデジタルデータを含む。また、コンテンツの一部あるいは全部が、複数のサーバやネットワークから提供されてもよい。また、コンテンツが、テレビ放送、インターネット放送、携帯電話網などのネットワークを介して提供されてもよい。
【００２７】
以下では、「コンテンツ情報」は、コンテンツ出力装置の表示画面のＵＩ（User Interface）を構築するための情報（画像データ、映像データ、音声データ、テキストデータ等）を含み、例えば、アイコンデータ等が該当する。
【００２８】
以下では、「コンテンツ関連情報」は、コンテンツサーバからコンテンツおよびコンテンツ情報を受信するために必要な情報であり、コンテンツデータＵＲＬ、アイコンデータＵＲＬ、アイコンタイトル、ダウンロード（ＤＬ）フラグ、ダウンロード（ＤＬ）キー、未視聴フラグ、書き込み時刻データを含む。
【００２９】
＜システムの全体構成＞
図１は、本発明の情報管理サーバ２を含むコンテンツ配信システム３０の全体構成を模式的に示す図である。
【００３０】
図１を参照して、コンテンツ配信システム３０の全体構成について説明する。
コンテンツ配信システム３０は、情報管理サーバ２、ユーザ端末装置（例えば、テレビ）６、商品情報管理サーバ８、店舗に設置される情報処理端末装置であるＰＯＳ（Point of sale system）端末１２、コンテンツサーバ１４とを含む。
【００３１】
なお、本例においては、ユーザ端末装置としてテレビの場合を例に挙げて説明するが、テレビに限られず、ネットワーク通信の機能と、コンテンツの表示機能または音声の出力機能とを有するものであれば良く、携帯電話、ＰＤＡ（Personal Digital Assistant）、他の携帯情報機器であってもよい。
【００３２】
または、本例においては、情報処理端末装置としてＰＯＳ端末１２の場合を例に挙げて説明するが、ＰＯＳ端末に限られず、ネットワーク通信の機能と、バーコード等により購入品に関する各種情報（販売者情報、商品識別情報）を読み取る機能や、購入者を特定する情報を入力する機能を有するものであれば良く、ＰＣ（Personal Computer）、他の携帯情報機器であってもよい。
【００３３】
情報管理サーバ２は、テレビ６のユーザを識別するユーザ情報、コンテンツを販売する販売者を特定する販売者情報およびコンテンツ関連情報をユーザ情報データベース（以下、ユーザ情報ＤＢ）４に格納する。情報管理サーバ２は、ネットワーク２０を介してＰＯＳ端末１２から受信した、コンテンツを購入した購入者を特定する購入者情報と販売者情報とコンテンツ関連情報とをユーザ情報ＤＢ４に格納する。また、当該格納した販売者情報およびコンテンツ関連情報をテレビ６に送信したりする。ここで、「購入者情報」とは、コンテンツを購入する際に購入者が提示する、ユーザ端末装置と関連付けられたユーザ情報が格納されたユーザ会員証等から、ＰＯＳ端末１２によって取得されるユーザ情報である。
【００３４】
ユーザ情報ＤＢ４には、ユーザ情報と販売者情報とコンテンツ関連情報とが互いに関連付けられて格納されている。情報管理サーバ２は、テレビ６からユーザ情報を受信し、ユーザ情報ＤＢ４に格納された、当該受信した情報に対応するユーザ情報に関連付けられた販売者情報およびコンテンツ関連情報をテレビ６に送信する。
【００３５】
テレビ６は、コンテンツを再生して出力する。たとえば、テレビ６は、ディスプレイから動画像あるいは静止画像を出力し、スピーカから音声を出力する。テレビ６は、たとえば、液晶テレビ、プラズマテレビであってもよい。
【００３６】
テレビ６は、コンテンツを当該テレビ６に送信するレコーダに接続されても良いし、当該レコーダを内蔵してもよい。レコーダとしては、例えば、ＳＴＢ（Set Top Box）、ＨＤＤレコーダ、ＤＶＤ（Digital Versatile Disc）レコーダ、ＢＤ（Blu-ray Disc）レコーダなどが挙げられる。
【００３７】
テレビ６は、インターネット網などのネットワーク２０を介して情報管理サーバ２やコンテンツサーバ１４に接続可能である。テレビ６は、情報管理サーバ２からコンテンツ関連情報を受信したり、コンテンツサーバ１４からコンテンツやコンテンツ情報を受信したりする。また、レコーダが当該情報を受信してもよい。
【００３８】
ＰＯＳ端末１２は、店舗に設置されており、ユーザ情報、販売者情報、商品識別情報を取得する。ユーザ情報および販売者情報は、ユーザが所有する、店舗の会員証等から取得し、商品（コンテンツ）の商品コードから商品識別情報を取得する。
【００３９】
ＰＯＳ端末１２は、インターネット網などのネットワーク２０を介して情報管理サーバ２や商品情報管理サーバ８に接続可能である。ＰＯＳ端末１２は、商品情報管理サーバ８からコンテンツ関連情報を取得したり、ユーザ情報と販売者情報とコンテンツ関連情報とを情報管理サーバ２に送信したりする。
【００４０】
商品情報管理サーバ８は、商品情報データベース（以下、商品情報ＤＢ）１０に商品（コンテンツ）に対応したコンテンツ関連情報を格納する。
【００４１】
商品情報管理サーバ８は、インターネット網などのネットワーク２０を介してＰＯＳ端末１２に接続可能である。商品情報管理サーバ８は、ＰＯＳ端末１２から取得した商品識別情報に基づいて、商品情報ＤＢ１０に格納されているコンテンツ関連情報をＰＯＳ端末１２に送信する。
【００４２】
コンテンツサーバ１４は、ネットワーク２０を介して、コンテンツやコンテンツ情報をテレビ６に提供するサーバである。また、コンテンツを格納するコンテンツＤＢ１６を備えていてもよい。なお、コンテンツサーバ１４は、ワークステーションやパーソナルコンピュータであってもよい。
【００４３】
＜システムにおける動作の概要＞
次に、図１を参照して、本実施の形態に従うコンテンツ配信システム３０の動作概要について説明する。以下では、テレビ６を所有するユーザが、店舗でコンテンツを購入した際に、テレビ６を利用してコンテンツやコンテンツ情報を閲覧する場合について説明する。
【００４４】
まず、テレビ購入後のテレビ６での初期設定についての動作概要について説明する。テレビ６は、ユーザを認証するための認証情報を記憶する。テレビ６は、テレビ６のユーザ（たとえば所有者）のユーザＩＤ、パスワード、指紋画像、サイン画像などをユーザ情報として登録する。
【００４５】
テレビ６は、ユーザ情報を情報管理サーバ２に登録する。このとき、テレビ６は、ネットワーク２０を介してユーザ情報を情報管理サーバ２に送信し、情報管理サーバ２は受信したユーザ情報をユーザ情報ＤＢ４に登録して、テレビ６のユーザを情報管理サーバ２が管理する相手として登録する。すなわち、情報管理サーバ２は、テレビ６のユーザを識別するためのユーザ情報を記憶する。
【００４６】
次に、コンテンツの購入段階の動作概要について説明する。
テレビ６のユーザは、コンテンツを販売している店舗において、コンテンツをダウンロードにより購入する権利を購入する。ユーザは、店舗に陳列されている、商品コードが記載されたコンテンツ商品カードと、ユーザ情報および販売者情報が格納されている、自身が所有するユーザ会員証を店員に提出し、コンテンツをダウンロードにより購入する権利を購入する。この時、店舗に設置されているＰＯＳ端末１２は、ユーザから提出されたユーザ会員証からユーザ情報および販売者情報を取得し、商品コードから商品識別情報を取得する。ＰＯＳ端末１２は、商品情報管理サーバ８に商品識別情報を送信して、商品情報管理サーバ８から商品識別情報に基づくコンテンツ関連情報を受信し、ユーザ情報と販売者情報と当該受信したコンテンツ関連情報とを情報管理サーバ２に送信する。ＰＯＳ端末１２は、受信したこれらの情報をハードディスク９４などに記憶しても良い。
【００４７】
次に、コンテンツ関連情報の登録段階の動作概要について説明する。
情報管理サーバ２は、ネットワーク２０を介してＰＯＳ端末１２からユーザ情報、販売者情報およびコンテンツ関連情報を受信する。ユーザ情報ＤＢ４には、予めテレビ６から受信したユーザ情報に対応する記憶領域が形成されているため、情報管理サーバ２は、ＰＯＳ端末１２から受信したユーザ情報に基づいて、当該記憶領域に販売者情報およびコンテンツ関連情報をユーザ情報ＤＢ４に記憶する。従って、ユーザ情報ＤＢ４にはユーザ情報と、販売者情報と、コンテンツ関連情報とが互いに関連付けられて記憶されている。
【００４８】
次に、コンテンツ関連情報のテレビ６への送信段階の動作概要について説明する。
情報管理サーバ２は、コンテンツ関連情報が更新されると、更新されたコンテンツ関連情報に関連付けられたユーザ情報に対応するテレビ６に、コンテンツ関連情報の更新通知をすると共にユーザ情報取得要求を行なう。テレビ６は、当該更新通知および当該要求を受け付けると、ユーザ情報を情報管理サーバ２に送信する。情報管理サーバ２は、ユーザ情報を受信すると、当該受信したユーザ情報に関連付けられたコンテンツ関連情報と販売者情報とをテレビ６に送信する。
【００４９】
次に、テレビ６でのＵＩを構築するコンテンツ情報の表示段階の動作概要について説明する。
【００５０】
テレビ６は、ネットワーク２０を介してコンテンツサーバ１４から購入済みのコンテンツを受信して、コンテンツを再生する。より詳細には、テレビ６は、情報管理サーバ２から受信したコンテンツ関連情報をコンテンツサーバ１４に送信して、コンテンツ関連情報に対応するコンテンツおよびコンテンツ情報をコンテンツサーバ１４から受信する。次に、受信したコンテンツ情報を、予め販売者情報ごとに設けられた表示領域に表示する。具体的には、コンテンツを特定するためのアイコン等が表示される。さらに、ユーザは、再生したいコンテンツに対応するコンテンツ情報（アイコン）を選択することでコンテンツの再生が行なわれる。
【００５１】
このように、テレビ６のユーザが、店舗でのコンテンツの購入に連動して、テレビ６にコンテンツが受信されるため、ユーザは煩雑な手続きなく、テレビ６でコンテンツを視聴することができる。また、テレビ６には、コンテンツ販売者の意図するユーザインターフェース（ＵＩ）が構築されるため、店舗の宣伝広告やコンテンツの購買意欲を促進させることができる。
【００５２】
さらに、このような販売形態とすることで、ユーザは店舗において、当該コンテンツを記録した物理的媒体や店舗専用のネットワーク配信サービスなどを利用して対応するコンテンツを視聴したりすることができる。その場合、たとえば、音楽等であれば、従来のネットワーク配信・販売サービスなどのように各曲について視聴できる時間が制限されるというような視聴制限を必ずしも受けることなく、現在もコンテンツ販売店舗において実施されているような各曲について特に制限なく視聴を可能とするというような販売形態とすることができる。しかも、ユーザは、たとえば、他の店舗での物品のショッピングのついでに、出先に存在するコンテンツ販売店舗に立ち寄って、自身の購入したいコンテンツを確認のうえ、購入することなどが可能となる。
【００５３】
また、コンテンツ販売店舗においては、従来のような物理的媒体に記録されたコンテンツの販売と平行して、ネットワークで配信されるような音楽を販売することができる。その場合、在庫の負担が軽減されるだけでなく、テレビ等に自身の販売者情報等をテレビ等のメーカとの契約によりプリインストールしておく、すなわち、「販売者情報ごとに予め設けられた表示領域」を予め設定しておくことで、テレビ等を購入したユーザに対して、自動的に自身の店舗でのコンテンツの購入を宣伝できる、という効果がある。
【００５４】
以下、このような機能を実現するための構成について詳述する。
＜情報管理サーバ２の構成＞
まず、情報管理サーバ２の具体的なハードウェアの構成について説明する。
【００５５】
図２は、本発明の実施の形態に従う情報管理サーバ２のハードウェア構成を示すブロック図である。
【００５６】
情報管理サーバ２は、ＣＰＵ（Central Processing Unit）４０と、通信装置４２と、ＲＡＭ（Random Access Memory）４４と、ハードディスク４６と、ＲＯＭ（Read Only Memory）４８と、データ通信Ｉ／Ｆ５０とを備える。
【００５７】
ＣＰＵ４０は、マイクロプロセッサ（Microprocessor）、ＦＰＧＡ（Field Programmable Gate Array）、ＡＳＩＣ（Application Specific Integrated Circuit）、ＤＳＰ（Digital Signal Processor）およびその他の演算機能を有する回路のいずれであってもよい。
【００５８】
ＣＰＵ４０は、ＲＯＭ４８やＲＡＭ４４に記憶されているプログラムを読み出し、プログラムを順次実行することによって、情報管理サーバ２の各部を制御する。より詳細には、ＣＰＵ４０は、当該プログラムを実行することによって、後述する情報管理サーバ２の処理（ステップ）の各々を実現する。
【００５９】
通信装置４２は、ＰＯＳ端末１２から送信されるデータを受信して、情報管理サーバ２における内部の処理に適合した形式に変換し、ＣＰＵ４０に送出する。逆に、情報管理サーバ２がテレビ６にデータを送信する場合には、通信装置４２は、ＣＰＵ４０から出力されるデータを用いて送信用のデータに変換し、データを送信する。
【００６０】
ＲＡＭ４４は、ＣＰＵ４０によって生成されたデータを一時的に保持する。
ハードディスク４６は、通信装置４２によって受信されたデータ等を格納する。格納されるデータは、ＰＯＳ端末１２から送信されたコンテンツ関連情報と販売者情報とユーザ情報とを含む。例えば、ユーザ情報ＤＢ４に相当する。
【００６１】
ＲＯＭ４８は、情報管理サーバ２を構成するために予め入力されたデータを格納する。当該データは、例えば、ＣＰＵ４０が実行するファームウェア、アプリケーションプログラムその他のソフトウェア等を含む。
【００６２】
データ通信Ｉ／Ｆ５０は、情報管理サーバ２に対するケーブル（図示しない）の装着を受け付けて、当該ケーブルを介してデータの通信を行なう。データ通信Ｉ／Ｆ５０は、たとえばＵＳＢ（Universal Serial Bus）ケーブルその他の通信規格に従うケーブルの装着を受け付ける。
【００６３】
次に、情報管理サーバ２の具体的な機能構成について説明する。
図３は、本発明の実施の形態に従う情報管理サーバ２の機能構成を示すブロック図である。各部の機能は、ＣＰＵ４０がＲＯＭ等に格納されたプログラムを実行することによって実現される。情報管理サーバ２は、装置全体を制御する制御部１００と、通信部１１０と、記憶部１２０とを主要部として構成される。
【００６４】
制御部１００は、情報管理サーバ２の各部の動作を制御する。
通信部１１０は、テレビ６およびＰＯＳ端末１２との通信を制御し、テレビ６とユーザ情報を送受信したり、ＰＯＳ端末１２からユーザ情報と販売者情報とコンテンツ関連情報とを受信する。
【００６５】
記憶部１２０は、ユーザ情報と販売者情報とコンテンツ関連情報とを記憶する。記憶部１２０は、ＲＡＭ４４やハードディスク４６に相当する。
【００６６】
関連情報判断部１３０は、制御部１００に含まれ、記憶部１２０に記憶されているコンテンツ関連情報が更新されているか否かを判断する。
【００６７】
販売者情報判断部１４０は、制御部１００に含まれ、記憶部１２０に記憶されている販売者情報が更新されたか否かを判断する。
【００６８】
＜テレビ６の構成＞
まず、テレビ６の具体的なハードウェアの構成について説明する。
【００６９】
図４は、本発明の実施の形態に従うテレビ６のハードウェア構成を示すブロック図である。
【００７０】
テレビ６は、主たる構成要素として、ＣＰＵ６０と、通信装置６２と、入力装置６４と、ＲＯＭ６６と、ＲＡＭ６８と、タイマー７０と、ディスプレイ７２と、ハードディスク７４と、データ通信Ｉ／Ｆ７６とを備える。すなわち、テレビ６は、入力装置６４と、タイマー７０と、ディスプレイ７２とを含む点において情報管理サーバ２と異なる。
【００７１】
ＣＰＵ６０は、ＲＯＭ６６やＲＡＭ６８に記憶されているプログラムを読み出し、プログラムを順次実行することによって、後述するテレビ６の処理（ステップ）の各々を実現する。
【００７２】
通信装置６２、ＲＯＭ６６、ＲＡＭ６８、データ通信Ｉ／Ｆ７６は、それぞれ情報管理サーバ２の通信装置４２、ＲＡＭ４４、ＲＯＭ４８、データ通信Ｉ／Ｆ５０に相当するため、その詳細な説明は繰り返さない。
【００７３】
入力装置６４は、複数のハードウェアのボタン等を含む。入力装置６４は、情報管理サーバ２に対する指示入力を受け付けて、当該入力に応じた信号をＣＰＵ６０に送出する。ＣＰＵ６０は、当該入力に基づいて所定の処理を実行し、入力指示に対応する機能を実現する。
【００７４】
タイマー７０は、時刻を計時する部位であり、計時した時刻に応じた信号をＣＰＵ６０に創出する。ＣＰＵ６０は、当該信号に基づき、たとえば一定時間間隔で予め定められた処理をすることができる。
【００７５】
ディスプレイ７２は、ＣＰＵ６０からの信号に基づいて、画像やテキストなどを表示する。たとえば、ＣＰＵ６０は、コンテンツサーバ１４から受信したコンテンツ情報をディスプレイ７２に表示させる。
【００７６】
ハードディスク７４は、コンテンツサーバ１４から受信したコンテンツやコンテンツ情報を記憶する。
【００７７】
外部記憶装置７８は、コンテンツサーバ１４から受信したコンテンツおよびコンテンツ情報を記憶する。例えば、レコーダに相当する。
【００７８】
次に、テレビ６の具体的な機能構成について説明する。
図５は、テレビ６の機能構成を示すブロック図である。各部の機能は、ＣＰＵ６０がＲＯＭ６６等に格納されたプログラムを実行することによって実現される。テレビ６は、装置全体を制御する制御部２００と、通信部２１０と、記憶部２２０と、表示部２３０と、出力制御部２４０と操作部２５０とを、主要部として構成される。
【００７９】
制御部２００は、テレビ６の各部の動作を制御する。
通信部２１０は、情報管理サーバ２との通信を制御し、情報管理サーバ２から、販売者情報およびコンテンツ関連情報を受信したり、情報管理サーバ２にユーザ情報を送信したりする。また、通信部２１０は、コンテンツサーバ１４との通信を制御し、コンテンツサーバ１４にコンテンツ関連情報を送信したり、コンテンツサーバ１４からコンテンツやコンテンツ情報を受信したりする。
【００８０】
記憶部２２０は、ユーザ情報、販売者情報、コンテンツ関連情報、コンテンツ情報を記憶する。記憶部２２０は、ＲＡＭ６８やハードディスク７４に相当する。
【００８１】
出力制御部２４０は、コンテンツサーバ１４から受信したコンテンツ情報を表示部２３０に表示するように制御する。表示部２３０は、ディスプレイ７２に相当する。また、出力制御部２４０は後述する操作部２５０を介したユーザからのコンテンツ再生命令などに応じてコンテンツを再生したりする。
【００８２】
操作部２５０は、ユーザから各種の情報を受け付ける。例えば、操作部２５０は、ユーザからの操作に応じて、ユーザＩＤや、パスワードや、コンテンツの選択命令や、コンテンツの再生命令や、コンテンツの停止命令などを受け付ける。操作部２５０は、入力装置２４に相当する。
【００８３】
＜ＰＯＳ端末１２の構成＞
まず、ＰＯＳ端末１２の具体的なハードウェアの構成について説明する。
【００８４】
図６は、本発明の実施の形態に従うＰＯＳ端末１２のハードウェア構成を示すブロック図である。
【００８５】
ＰＯＳ端末１２は、主たる構成要素として、ＣＰＵ８０と、通信装置８２と、入力装置８４と、ＲＯＭ８６と、ＲＡＭ８８と、ディスプレイ９２と、ハードディスク９４と、データ通信Ｉ／Ｆ９６と、リーダ９８とを備える。すなわち、ＰＯＳ端末１２は、入力装置８４と、ディスプレイ９２と、リーダ９８とを含む点において情報管理サーバ２と異なる。
【００８６】
ＣＰＵ８０は、ＲＯＭ８６やＲＡＭ８８に記憶されているプログラムを読み出し、プログラムを順次実行することによって、後述するＰＯＳ端末１２の処理（ステップ）の各々を実現する。
【００８７】
通信装置８２、ＲＯＭ８６、ＲＡＭ８８、データ通信Ｉ／Ｆ９６は、それぞれ情報管理サーバ２の通信装置４２、ＲＡＭ４４、ＲＯＭ４８、データ通信Ｉ／Ｆ５０に相当する。入力装置８４は、テレビ６の入力装置６４に相当する。従って、その詳細な説明は繰り返さない。
【００８８】
ディスプレイ９２は、ＣＰＵ８０からの信号に基づいて、画像やテキストなどを表示する。たとえば、ＣＰＵ８０は、リーダ９８から取得されたユーザ情報(購入者情報）、販売者情報、商品コードをディスプレイ９２に表示させる。
【００８９】
ハードディスク９４は、リーダ９８から取得されたユーザ情報（購入者情報）、販売者情報を記憶する。
【００９０】
リーダ９８は、各種情報を読み込む。例えば、顧客が提示するカード状の記憶媒体に記憶された情報を読み込むためのカードリーダ、商品に付されたバーコードを読み込むためのバーコードリーダに相当する。
【００９１】
次に、ＰＯＳ端末１２の具体的な機能構成について説明する。
図７は、ＰＯＳ端末１２の機能構成を示すブロック図である。各部の機能は、ＣＰＵ８０がＲＯＭ８６等に格納されたプログラムを実行することによって実現される。ＰＯＳ端末１２は、装置全体を制御する制御部３００と、通信部３１０と、記憶部３２０と、表示部３３０と、表示制御部３４０と、操作部３５０と、情報取得部３６０とを、主要部として構成される。
【００９２】
制御部３００は、ＰＯＳ端末１２の各部の動作を制御する。
通信部３１０は、商品情報管理サーバ８との通信を制御し、商品情報管理サーバ８に商品識別情報を送信したり、当該送信した商品識別情報に基づいて商品情報管理サーバ８からコンテンツ関連情報を受信したりする。また、通信部３１０は、情報管理サーバ２との通信を制御し、情報管理サーバ２にコンテンツ関連情報を送信する。
【００９３】
記憶部３２０は、ユーザ情報（購入者情報）、販売者情報、コンテンツ関連情報、商品識別情報を記憶する。記憶部３２０は、ＲＡＭ８８やハードディスク９４に相当する。
【００９４】
表示制御部３４０は、ユーザ情報（購入者情報）、販売者情報、商品識別情報等を表示部３３０に表示するように制御する。表示部３３０は、ディスプレイ９２に相当する。
【００９５】
操作部３５０は、ユーザから各種の情報を受け付ける。例えば、操作部３５０は、店員からの操作に応じて、コンテンツ関連情報の要求命令や、コンテンツ関連情報の送信命令などを受け付ける。操作部３５０は、入力装置８４に相当する。
【００９６】
情報取得部３６０は、顧客が提示するユーザ会員証等からユーザ情報（購入者情報）、販売者情報を取得したり、商品コードから商品識別情報を取得する。
【００９７】
＜コンテンツ関連情報の登録処理＞
次に、コンテンツ配信システム３０における情報管理サーバ２へのコンテンツ関連情報の登録処理までの処理手順について説明する。
【００９８】
図８は、本発明の実施の形態に従うコンテンツ配信システム３０において、情報管理サーバ２へのコンテンツ関連情報の登録処理までの処理手順を示すシーケンス図である。
【００９９】
ＰＯＳ端末１２は、ユーザ情報（購入者情報）、販売者情報、商品識別情報を取得する（ステップＳＱ１００）。具体的には、制御部３００の指示により、情報取得部３６０は、購入者の購買コンテンツの精算時に店舗のレジ操作者が商品のバーコード等を読み取った際に、商品識別情報を取得し、同時に顧客の会員カード等に記憶された、ユーザ情報（購入者情報）、販売者情報を取得する。なお、取得されたユーザ情報（購入者情報）と、販売者情報と、商品識別情報とを関連付けて記憶部３２０に記憶しても良い。
【０１００】
次に、ＰＯＳ端末１２は、商品識別情報を商品情報管理サーバ８に送信する（ステップＳＱ１０２）。具体的には、制御部３００の指示により、通信部３１０は情報取得部３６０によって取得された商品識別情報を商品情報管理サーバ８に送信する。なお、制御部３００が、操作部３５０を介して、ユーザからの商品識別情報を送信するための操作を受け付けると、制御部３００の指示により、通信部３１０が当該商品識別情報を商品情報管理サーバ８に送信しても良い。
【０１０１】
次に、商品情報管理サーバ８は、ＰＯＳ端末１２から受信した商品識別情報に基づくコンテンツ関連情報を、商品情報ＤＢ１０から検索する（ステップＳＱ１０４）。次に、検索して取得したコンテンツ関連情報に対応して、商品購入に対する課金処理を行なう（ステップＳＱ１０６）。なお、課金処理方法は、店舗独自に定めることができ、例えば、現金での支払い、クレジットカードによる決済等であっても良い。次に、商品情報管理サーバ８は、コンテンツ関連情報をＰＯＳ端末１２に送信する（ステップＳＱ１０８）。
【０１０２】
次に、ＰＯＳ端末１２は、商品情報管理サーバ８からコンテンツ関連情報を受信すると、ユーザ情報（購入者情報）、販売者情報、コンテンツ関連情報を情報管理サーバ２に送信する（ステップＳＱ１１０）。具体的には、通信部３１０が、コンテンツ関連情報を受信すると、制御部３００の指示により、情報取得部３６０によって取得されたユーザ情報（購入者情報）と、販売者情報と、コンテンツ関連情報とを情報管理サーバ２に送信する。なお、制御部３００が、操作部３５０を介して、ユーザから当該各情報を送信するための操作を受け付けると、制御部３００の指示により、通信部３１０が当該各情報を情報管理サーバ２に送信しても良い。また、取得したユーザ情報（購入者情報）と販売者情報とコンテンツ関連情報とを関連付けて記憶部３２０に記憶しても良い。
【０１０３】
次に情報管理サーバ２は、ＰＯＳ端末１２からユーザ情報（購入者情報）と販売者情報とコンテンツ関連情報とを受信して、ユーザ情報ＤＢ４に当該各情報のＤＢ登録を行なう（ステップＳＱ１２０）。
【０１０４】
ここで、情報管理サーバ２のユーザ情報ＤＢ４へのコンテンツ関連情報のＤＢ登録方式について説明する。
【０１０５】
まず、ユーザ情報ＤＢ４のＤＢ構成について説明する。
図９は、ユーザ情報ＤＢ４のＤＢ構成の一例を示した図である。
【０１０６】
図９に示すようにユーザ情報ＤＢ４のＤＢ構成は、階層構造となっており、第１階層は、予めテレビ６から受信したユーザ情報ごとにデータブロックで分類されている階層である。各ブロックには、ユーザ情報に関連付けられた販売者情報およびコンテンツ関連情報が格納される。第２階層は、ユーザ情報に関連付けられた販売者情報のデータブロックで分類されている階層である。各ブロックには、予め情報管理サーバ２の管理者との契約によって、販売者が獲得しているブロックが定められている。例えば、図９を参照して、販売者ＩＤ１の販売者は３つのブロックの使用権を有し、販売者ＩＤ２の販売者は２つのブロックの使用権を有し、販売者ＩＤ３の販売者は１つのブロックの使用権を有している。なお、第２階層には、他にユーザを特定するための個人情報（名前、パスワード）およびユーザ端末装置を特定するための利用機器情報のデータブロックが含まれていても良い。第３階層には、販売者情報に関連付けられた、コンテンツサーバ１４からコンテンツやコンテンツ情報を受信するために必要となるコンテンツ関連情報が格納される。コンテンツ関連情報には、典型的にはアイコン画像の配信場所を示すアイコン画像ＵＲＬ情報、アイコンのタイトルを示すアイコンタイトル情報、コンテンツ配信場所を示すコンテンツＵＲＬ、ダウンロードコンテンツか否かまたはダウンロード処理状態を示すＤＬフラグ情報、コンテンツをダウンロードする際の認証情報を示すＤＬキー情報、コンテンツの視聴状態を示す未視聴フラグ情報、コンテンツ関連情報の書き込み時刻を示す書き込み時刻情報を含む。情報管理サーバ２は、ＰＯＳ端末１２から取得したユーザ情報および販売者情報によって特定された、ユーザ情報ＤＢ４のデータブロックにコンテンツ関連情報を記憶する。
【０１０７】
次に、具体的なＤＢ登録方式について説明する。
図１０は、コンテンツ関連情報のＤＢ登録処理を示すフローチャートである。
【０１０８】
ここで、情報管理サーバ２は、ＰＯＳ端末１２からユーザ情報（購入者情報）と販売者情報とコンテンツ関連情報とを取得している状態であるとする。
【０１０９】
まず、制御部１００は、ユーザ情報ＤＢ４から第１階層ブロック(ユーザブロック）を抽出する（ステップＳ１０２）。具体的には、制御部１００は、記憶部１２０から全ユーザブロックを読み出す。
【０１１０】
次に、制御部１００は、取得したユーザ情報に対応するユーザブロックがあるか否かを判断する（ステップＳ１０４）。具体的には、制御部１００は、ＰＯＳ端末１２から取得したユーザ情報（購入者情報）と、ユーザブロックに関連付けられているユーザ情報とを比較して、対応するユーザブロックがあるか否かを判断する。
【０１１１】
制御部１００は、ユーザ情報に関連付けられたユーザブロックがないと判断した場合（ステップＳ１０４においてＮＯの場合）、コンテンツ関連情報を記憶部１２０に記憶することなく、処理を終了する。一方、制御部１００は、ユーザ情報に関連付けられたユーザブロックがあると判断した場合（ステップＳ１０４においてＹＥＳの場合）、当該関連付けられたユーザブロック内の第２階層ブロック（販売者ブロック）を抽出する（ステップＳ１０６）。具体的には、制御部１００は、記憶部１２０から販売者ブロックを読み出す。
【０１１２】
次に、制御部１００は、販売者情報に関連付けられた販売者ブロックがあるか否かを判断する（ステップＳ１０８）。具体的には、制御部１００は、ＰＯＳ端末１２から取得した販売者情報と、販売者ブロックに関連付けられている販売者情報とを比較して、対応する販売者ブロックがあるか否かを判断する。
【０１１３】
制御部１００は、販売者情報に関連付けられた販売者ブロックがないと判断した場合（ステップＳ１０８においてＮＯの場合）、コンテンツ関連情報を記憶部１２０に記憶することなく、処理を終了する。一方、制御部１００は、販売者情報に関連付けられた販売者ブロックがあると判断した場合（ステップＳ１０８においてＹＥＳの場合）、当該販売者情報に関連付けられた販売者ブロックのリストを抽出する（ステップＳ１１０）。具体的には、制御部１００は、記憶部１２０から当該販売者情報に関連付けられた販売者ブロックのリストを読み出す。
【０１１４】
次に、制御部１００は、当該読み出された販売者ブロックリストのうち、コンテンツ関連情報が格納されていない販売者ブロックがあるか否かを判断する（ステップＳ１１２）。制御部１００は、コンテンツ関連情報が格納されていない販売者ブロック（空ブロック）があると判断した場合（ステップＳ１１２においてＹＥＳの場合）、空ブロックを選択して（ステップＳ１１４）、コンテンツ関連情報を書き込み（ステップＳ１２２）、処理を終了する。
【０１１５】
一方、制御部１００は、空ブロックがないと判断した場合（ステップＳ１１２においてＮＯの場合）、コンテンツ関連情報に含まれている未視聴フラグ情報から、コンテンツを視聴済みの販売者ブロック（視聴済みブロック）があるか否かを判断する（ステップＳ１１６）。制御部１００は、視聴済みブロックがあると判断した場合（ステップＳ１１６においてＹＥＳの場合）、制御部１００は、視聴済みブロックを選択して（ステップＳ１１８）、コンテンツ関連情報を書き込み（ステップＳ１２２）、処理を終了する。制御部１００は、視聴済みブロックがないと判断した場合（ステップＳ１１６においてＮＯの場合）、制御部１００は、コンテンツ関連情報に含まれる書き込み時刻情報により最も書き込み時刻が古いブロックを選択して（ステップＳ１２０）、当該販売者ブロックにコンテンツ関連情報を書き込み（ステップＳ１２２）、処理を終了する。
【０１１６】
次に、登録したコンテンツ関連情報に対するアクセス権について説明する。
図１１は、記憶されたコンテンツ関連情報に対するアクセス権を示した図である。「Ｒ」は、情報の確認が可能ということを示しており、「Ｗ」は、情報の更新が可能であることを示している。従って、「Ｒ／Ｗ」は、両者のいずれもが可能であることを示している。販売者は、ＰＯＳ端末１２から、販売者情報が一致しているブロックのコンテンツ関連情報へのアクセスが可能であり、コンテンツ関連情報に含まれるアイコン画像ＵＲＬ情報等の各種情報を情報管理サーバ２に送信し、情報管理サーバ２が当該情報を書き込むことでコンテンツ関連情報を更新することができる。例えば、販売者は、ＰＯＳ端末１２からアイコン画像ＵＲＬ情報、コンテンツＵＲＬ情報を送信することで、それぞれアイコン画像、コンテンツを提供しているＵＲＬアドレスを更新することができる。また、アイコンタイトル情報を送信することでアイコンタイトルを、ＤＬフラグ情報を送信することで、アイコン画像のみの広告なのか、ダウンロードコンテンツなのかを更新することができる。ＤＬキー情報を送信することで、ダウンロードするための認証情報を更新することができる。また、未視聴フラグを確認することでユーザ端末装置で当該コンテンツを視聴しているか否かを確認することができる。コンテンツ関連情報が更新されると書き込み時刻が更新される。
【０１１７】
一方、ユーザはユーザ端末装置からユーザ情報が一致するブロックのコンテンツ関連情報へのアクセスが可能である。例えば、ユーザ端末装置は、コンテンツを視聴した場合、未視聴フラグ情報を送信して、当該情報を更新することができる。
【０１１８】
＜コンテンツ関連情報の送信処理＞
次に、情報管理サーバ２からテレビ６へのコンテンツ関連情報の送信処理の処理手順について説明する。
【０１１９】
まず、情報管理サーバ２がテレビ６へユーザ情報認証を行なうことで、テレビ６にコンテンツ関連情報を送信する方式（Ｐｕｓｈ型）を説明する。ここで、情報管理サーバ２は、ＰＯＳ端末１２からユーザ情報、販売者情報、コンテンツ関連情報を受信して、上記で説明した所定の記憶領域に記憶されている状態であるとする。
【０１２０】
図１２は、本発明の実施の形態に従う情報管理サーバ２からテレビ６へのコンテンツ関連情報の送信処理の処理手順を示す第１のシーケンス図である。
【０１２１】
情報管理サーバ２は、テレビ６にコンテンツ関連情報の更新通知およびユーザ情報取得要求を行なう（ステップＳＱ２００）。具体的には、まず、制御部１００は、更新通知をするテレビ６に対応するユーザ情報に関連付けられたコンテンツ関連情報を抽出する。次に、制御部１００の指示により、関連情報判断部１３０は、記憶部１２０に記憶されている当該コンテンツ関連情報が更新されているか否かを判断する。例えば、関連情報判断部１３０は、コンテンツ関連情報に含まれる書き込み時刻と、更新通知をしようとするテレビ６へのコンテンツ関連情報の過去の送信時刻とを比較することで、コンテンツ関連情報が更新されているか否かを判断する。つまり、書き込み時刻よりも過去の送信時刻の方が早ければ更新されていると判断し、逆に遅ければ更新されていないと判断する。次に、制御部１００は、関連情報判断部１３０がコンテンツ関連情報が更新されていると判断した場合、テレビ６に更新通知情報と共にユーザ情報取得要求を送信するように制御する。
【０１２２】
次に、テレビ６は、情報管理サーバ２から更新通知情報とユーザ情報取得要求を受信すると、ユーザ情報を送信する（ステップＳＱ２０２）。具体的には、通信部２１０が、更新通知情報とユーザ情報取得要求を受信すると、制御部２００の指示により、通信部２１０は、ユーザ情報を情報管理サーバ２に送信する。
【０１２３】
次に、情報管理サーバ２は、ユーザ情報ＤＢ４に格納されている、ユーザ情報に対応するコンテンツ関連情報を検索して（ステップＳＱ２１２）、検索して取得したコンテンツ関連情報をテレビ６に送信する。具体的には、制御部１００は、記憶部１２０からユーザ情報に関連付けられているコンテンツ関連情報を読み出す。制御部１００の指示により、通信部１１０は、当該コンテンツ関連情報を情報管理サーバ２に送信する。
【０１２４】
ここで、コンテンツ関連情報のデータベース検索を行ない、情報管理サーバ２へ送信するまでの流れを説明する。
【０１２５】
図１３は、コンテンツ関連情報のデータベース検索を行ない、情報管理サーバ２へ送信するまでの処理を示すフローチャートである。
【０１２６】
まず、通信部１１０が情報管理サーバ２からユーザ情報を受信すると（ステップＳ２０２）、制御部１００はユーザ情報ＤＢ４から第１階層ブロック(ユーザブロック）を抽出する（ステップＳ２０４）。具体的には、制御部１００は、記憶部１２０から全ユーザブロックを読み出す。
【０１２７】
次に、制御部１００は、受信したユーザ情報に対応するユーザブロックがあるか否かを判断する（ステップＳ２０６）。具体的には、制御部１００は、テレビ６から受信したユーザ情報と、ユーザブロックに関連付けられているユーザ情報とを比較して、対応するユーザブロックがあるか否かを判断する。
【０１２８】
制御部１００は、ユーザ情報に関連付けられたユーザブロックがないと判断した場合（ステップＳ２０６においてＮＯの場合）、制御部１００の指示により、通信部１１０は、テレビ６にエラー送信して（ステップＳ２０７）、処理を終了する。一方、制御部１００は、ユーザ情報に関連付けられたユーザブロックがあると判断した場合（ステップＳ２０６においてＹＥＳの場合）、当該関連付けられたユーザブロック内の第２階層ブロック（販売者ブロック）を抽出する（ステップＳ２０８）。具体的には、制御部１００は、記憶部１２０から販売者ブロックを読み出す。
【０１２９】
次に、制御部１００は、当該ユーザ情報に関連付けられた販売者ブロックに格納されているコンテンツ関連情報を送信用のデータ（例えば、ＸＭＬ形式）に変換する（ステップＳ２１０）。
【０１３０】
次に、制御部１００は、当該ユーザ情報に関連付けられた他の販売者ブロックがあるか否かを判断する（ステップＳ２１２）。制御部１００は、当該ユーザ情報に関連付けられた他の販売者ブロックがあると判断した場合（ステップＳ２１２においてＮＯである場合）、ステップＳ２０８からの処理を繰り返す。一方、制御部１００は、当該ユーザ情報に関連付けられた他の販売者ブロックがないと判断した場合（ステップＳ２１２においてＹＥＳである場合）、制御部１００の指示により、通信部１１０は、当該送信用データに変換されたコンテンツ関連情報を、情報管理サーバ２に送信して（ステップＳ２１４）、処理を終了する。
【０１３１】
次に、情報管理サーバ２が、テレビ６から、コンテンツ関連情報の取得要求を受け付けたことに応じて、テレビ６にコンテンツ関連情報を送信する方式（Ｐｕｌｌ型）を説明する。
【０１３２】
図１４は、本発明の実施の形態に従う情報管理サーバ２が、テレビ６からのコンテンツ関連情報の取得要求を受け付けて、テレビ６にコンテンツ関連情報を送信する処理手順を示す第２のシーケンス図である。
【０１３３】
まず、テレビ６は、ユーザ情報と共に、コンテンツ関連情報の更新情報取得要求を送信する（ステップＳＱ３００）。
【０１３４】
このような「更新情報取得要求」は、テレビ６側で、タイマー７０を利用して所定の時間間隔で送信することとしてもよいし、あるいは、特定の事象（たとえば、電源ＯＮ）が発生することに応じて、送信が実行されることとしてもよい。
【０１３５】
次に、情報管理サーバ２は、ユーザ情報とコンテンツ関連情報の更新情報取得要求を受信すると、ユーザ情報に関連付けられたコンテンツ関連情報が更新されているか否かを判断する（ステップＳＱ３０２）。具体的には、制御部１００は、当該受信したユーザ情報に関連付けられたコンテンツ関連情報を抽出する。次に、制御部１００の指示により、関連情報判断部１３０は、記憶部１２０に記憶されている当該コンテンツ関連情報に含まれる書き込み時刻と、更新通知をしようとするテレビ６へのコンテンツ関連情報の過去の送信時刻とを比較してコンテンツ関連情報が更新されているか否かを判断する。つまり、書き込み時刻よりも過去の送信時刻の方が早ければ更新されていると判断し、逆に遅ければ更新されていないと判断する。次に、制御部１００は、関連情報判断部１３０がコンテンツ関連情報が更新されていると判断した場合、その後の処理は、ステップＳＱ３１２、ＳＱ３１４の処理となるが、これは図１０で示したＳＱ２１２およびＳＱ２１４の処理と同様であるため、同一部分についてのその詳細な説明は繰り返さない。一方、更新されていない場合は、テレビ６にエラー送信を行なう。
【０１３６】
＜コンテンツ情報の受信、表示処理＞
次に、テレビ６が、コンテンツサーバ１４からコンテンツおよびコンテンツ情報を受信し、コンテンツ情報を表示する処理手順について説明する。
【０１３７】
図１５は、本発明の実施の形態に従うテレビ６が、コンテンツ情報を表示する処理手順を示すシーケンス図である。
【０１３８】
まず、テレビ６は、コンテンツサーバ１４にコンテンツおよびコンテンツ情報取得要求を行なう（ステップＳＱ４０４）。具体的には、通信部２１０がコンテンツ関連情報を受信すると、制御部２００の指示により、通信部２１０は、コンテンツ関連情報をコンテンツサーバ１４に送信して、当該コンテンツ関連情報に対応するコンテンツおよびコンテンツ情報を要求する。
【０１３９】
次に、コンテンツサーバ１４は、テレビ６からコンテンツ関連情報を受信すると、当該コンテンツ関連情報に対応するコンテンツおよびコンテンツ情報を送信する（ステップＳＱ４０６）。
【０１４０】
次に、テレビ６は、コンテンツサーバ１４からコンテンツ情報を受信すると、コンテンツ情報を表示する（ステップＳＱ４１２）。具体的には、通信部２１０が、コンテンツサーバ１４からコンテンツ情報を受信すると、出力制御部２４０は、コンテンツ情報を表示部２３０に表示させる。次に、テレビ６は、コンテンツ情報に対するユーザからの操作入力を受け付けると、コンテンツを出力（再生等）する（ステップＳＱ４１４）。
【０１４１】
ここで、コンテンツおよびコンテンツ情報の受信方式について説明する。
図１６は、コンテンツおよびコンテンツ情報の受信方式の処理手順を示すフローチャートである。
【０１４２】
まず、テレビ６は、情報管理サーバ２からコンテンツ関連情報を受信しているか否かを判断する（ステップＳ３０４）。具体的には、制御部２００は、通信部２１０が情報管理サーバ２からコンテンツ関連情報を受信しているか否かを判断する。
【０１４３】
テレビ６の制御部２００は、通信部２１０が情報管理サーバ２からコンテンツ関連情報を受信していないと判断した場合（ステップＳ３０４においてＮＯである場合）、通信部２１０は、コンテンツ情報をコンテンツサーバ１４から受信せずに処理を終了する。一方、制御部２００は、通信部２１０がコンテンツ関連情報を受信していると判断した場合（ステップＳ３０４においてＹＥＳである場合）、制御部２００は、コンテンツ関連情報のコンテンツのＤＬフラグ情報が立っているか否かを判断する（ステップＳ３０６）。ここで、「コンテンツのＤＬフラグが立っている」とは、コンテンツのＤＬが必要な場合、コンテンツのＤＬが未処理であることを意味している。または、当該コンテンツ関連情報で提供されるのはアイコン画像データ等のコンテンツ情報のみであり、コンテンツのＤＬが必要でないことを意味している。
【０１４４】
テレビ６の制御部２００は、ＤＬフラグが立っている（ＤＬが未処理である）と判断した場合（ステップＳ３０６においてＹＥＳである場合）、制御部２００の指示により、通信部２１０は、コンテンツ関連情報に含まれるコンテンツデータＵＲＬに基づいてコンテンツをコンテンツサーバ１４から受信する（ステップＳ３１０）。なお、テレビ６がコンテンツサーバ１４からコンテンツをダウンロードする際に、コンテンツサーバ１４がＤＬキー情報を要求している場合は、制御部２００の指示により、通信部２１０は、コンテンツサーバ１４に対してＤＬキー情報を送信し、コンテンツデータＵＲＬに基づいてコンテンツを受信するように制御しても良い。次に、制御部２００の指示により、通信部２１０は、コンテンツ関連情報に含まれるアイコンデータＵＲＬに基づいてアイコンデータ（コンテンツ情報）をコンテンツサーバ１４から受信する（ステップＳ３１６）。一方、制御部２００は、ＤＬフラグが立っていない（ＤＬが処理済みである、またはＤＬの必要がない）と判断した場合（ステップＳ３０６においてＮＯである場合）、制御部２００の指示により、通信部２１０は、アイコンデータを受信する（ステップＳ３１６）。
【０１４５】
次に、制御部２００は、コンテンツとコンテンツ情報とを関連付けて記憶部２２０に記憶して（ステップＳ３１８）、処理を終了する。
【０１４６】
ここで、コンテンツ情報の表示方式の処理手順について説明する。
図１７は、コンテンツ情報の表示方式の処理手順を示すフローチャートである。
【０１４７】
まず、テレビ６の制御部２００は、コンテンツ情報を読み出す（ステップＳ４０２）。具体的には、制御部２００は、販売者情報と関連付けられたコンテンツ情報を記憶部２２０から読み出す。
【０１４８】
次に、出力制御部２４０は、販売者情報に対応する表示領域にコンテンツ情報を表示部２３０に表示する（ステップＳ４０４）。
【０１４９】
ここで、コンテンツ情報の表示方式について説明する。
図１８は、テレビ６のコンテンツを選択するためのメニュー画面の一例である。
【０１５０】
上述したように、ユーザ情報ＤＢ４の第２階層は、販売者情報に関連付けられているが、図１８に示すようにテレビ６には、販売者が使用権を有する（販売者情報に関連付けられている）ブロックに対応して表示領域が予め定められている。例えば、販売者情報が販売者ＩＤ１である販売者は、ブロック１〜３に関連付けられているため、表示領域のブロック１〜３が当該販売者の表示できる領域であり、この場合は、作品Ａ〜Ｃの作品が表示されている。また、同様に、販売者情報が販売者ＩＤ２の販売者は、ブロック４、５に関連付けられているため、表示領域のブロック４、５が販売者ＩＤ２の表示できる領域であり、作品ＤおよびＥのアイコンが表示される。販売者ＩＤ３の場合は、ブロック６に関連付けられているため、表示領域のブロック６が販売者ＩＤ２の表示できる領域であり、作品Ｆのアイコンが表示される。従って、販売者は、アクセスできるブロック数に応じて、販売者の意図するコンテンツ情報をテレビ６に表示させることができる。
【０１５１】
図１７を再び参照して、制御部２００は、ＤＬフラグが立っているか否かを判断する（ステップＳ４０６）。制御部２００は、ＤＬフラグが立っている（ＤＬ未処理である）と判断した場合（ステップＳ４０６においてＹＥＳである場合）、制御部２００の指示により、通信部２１０はコンテンツ関連情報に含まれるコンテンツデータＵＲＬに基づいてコンテンツをコンテンツサーバ１４から受信する（ステップＳ４０７）。次に、出力制御部２４０は、販売者情報に対応する表示領域に、ＤＬ完了情報（例えば、Ready）を表示部２３０に表示して（ステップＳ４０８）、処理を終了する。一方、制御部２００は、ＤＬフラグが立っていない（ＤＬ処理済である）と判断した場合（ステップＳ４０６においてＮＯである場合）、ステップＳ４０８の処理を行ない、処理を終了する。
【０１５２】
次に、コンテンツの出力方式について説明する。
図１９は、テレビ６のコンテンツ出力処理の処理手順を示すフローチャートである。
【０１５３】
制御部２００は、操作部２５０を介してユーザからのコンテンツ出力要求を受け付けると（ステップＳ５０２）、制御部２００の指示により、出力制御部２４０は、出力要求されたコンテンツを出力して（ステップＳ５０４）、処理を終了する。例えば、出力制御部２４０は、音声コンテンツを再生したり、表示部２３０に動画コンテンツを表示したりする。典型的には、ユーザがアイコンを選択して押下することで、コンテンツデータを読み込み、コンテンツの再生を行なう。なお、コンテンツを視聴した場合、テレビ６は、未視聴フラグ情報を情報管理サーバ２に送信して未視聴フラグ情報を更新しても良い。具体的には、制御部２００は、コンテンツが再生されたと判断すると、制御部２００の指示により、通信部２１０は未視聴フラグ情報の更新要求を情報管理サーバ２に送信する。情報管理サーバ２の通信部１１０は当該要求を受信すると、制御部１００はコンテンツ関連情報に含まれる未視聴フラグ情報を更新する。
【０１５４】
＜その他の実施の形態＞
上記において、情報管理サーバ２に格納されているコンテンツ関連情報が更新された場合にコンテンツ関連情報をテレビ６に対して送信する方式について記載したが、情報管理サーバ２に格納されている販売者情報が更新された場合に販売者情報をテレビ６に対して送信しても良い。具体的には、まず、制御部１００は、更新通知をするテレビ６に対応するユーザ情報に関連付けられた販売者情報を抽出する。次に、制御部１００の指示により、販売者情報判断部１４０は、記憶部１２０に記憶されている販売者ブロックに関連付けられた販売者情報が変更されたか否かを判断する。例えば、情報管理サーバ２を管理する管理者と販売者との契約の変更などにより、販売者情報に関連付けられた販売者ブロックが変更される場合である。販売者情報判断部１４０が販売者情報が更新されていると判断した場合、制御部１００の指示により、テレビ６に更新された販売者情報を送信する。販売者情報が送信されたテレビ６のメニュー画面には、更新された販売者情報に対応するメニュー画面が表示される。
【０１５５】
また、上記では販売者が提供する会員証などに記憶されたユーザ情報は、複数の販売者であっても共有のユーザ情報を使用する場合について述べたが、販売者ごとに提供する会員証などによって割り当てられるユーザ情報が異なる場合は、各販売者のＰＯＳ端末１２から各販売者が割り当てているユーザ情報が送信される際に、中継サーバ等によって情報管理サーバ２で取り扱われる共通のユーザ情報に変換してもよい。
【０１５６】
なお、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１５７】
なお、プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１５８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１５９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１６０】
２  情報管理サーバ、４  ユーザ情報ＤＢ、６  テレビ、８  商品情報管理サーバ、１０  商品情報ＤＢ、１２  ＰＯＳ端末、１４  コンテンツサーバ、１６  コンテンツＤＢ、２０  ネットワーク、２４，６４，８４  入力装置、３０  コンテンツ配信システム、７２，９２  ディスプレイ、４２，６２，８２  通信装置、４４，６８，８８  ＲＡＭ、４６，７４，９４  ハードディスク、４８，６６，８６  ＲＯＭ、７０  タイマー、７８  外部記憶装置、９８  リーダ、１００，２００，３００  制御部、１１０，２１０，３１０  通信部、１２０，２２０，３２０  記憶部、１３０  関連情報判断部、１４０  販売者情報判断部、２３０，３３０  表示部、２４０  出力制御部、３４０  表示制御部、２５０，３５０  操作部、３６０  情報取得部、５０，７６，９６  データ通信Ｉ／Ｆ。
【図１】
2013003907.tif 000003
【図２】
2013003907.tif 000004
【図３】
2013003907.tif 000005
【図４】
2013003907.tif 000006
【図５】
2013003907.tif 000007
【図６】
2013003907.tif 000008
【図７】
2013003907.tif 000009
【図８】
2013003907.tif 000010
【図９】
2013003907.tif 000011
【図１０】
2013003907.tif 000012
【図１１】
2013003907.tif 000013
【図１２】
2013003907.tif 000014
【図１３】
2013003907.tif 000015
【図１４】
2013003907.tif 000016
【図１５】
2013003907.tif 000017
【図１６】
2013003907.tif 000018
【図１７】
2013003907.tif 000019
【図１８】
2013003907.tif 000020
【図１９】
2013003907.tif 000021